(57)【要約】【課題】携帯用電子機器とクレードルのドッキングの際、安全で確実なドッキングを実現するドッキングコネクタの保護構造を提供する。【解決手段】携帯用電子機器にはコネクタの手前に常時閉方向に付勢するバネを有した回動式の保護カバーを設置し、クレードルにはドッキングコネクタの保護ガイドを設置し、ドッキングする際にこの保護ガイドで保護カバーの斜面部を押すことでカバーを開かせる方向に力が加わり、ドッキングコネクタが嵌合する前に保護カバーを全開させ、携帯用電子機器を取り外すと保護カバーは閉位置に自動復帰させることができる。【選択図】図９
2009289523.tif 000002
【特許請求の範囲】
【請求項１】
携帯用電子機器と、
この携帯用電子機器が装着されるクレードルを備え、前記携帯用電子機器は第一のドッキングコネクタを備え、前記クレードルは、前記第一のドッキングコネクタとドッキングする第２のドッキングコネクタと、この第２のドッキングコネクタの前面を開閉自在に覆うカバーとを有し、前記カバーは前記電子機器のクレードルへの装着時に、前記電子機器の一部によって付勢され、開放する構成とした電子機器。
【請求項２】
ドッキングコネクタには、低挿抜・高寿命・高速伝送・筐体への確実な固定・省スペース等を特徴とした携帯用電子機器用クレードルコネクタを使用することで、挿入時斜めドッキングができる機能を備えてなる請求項1に記載のクレードル対応の携帯用電子機器。
【請求項３】
クレードルには、携帯用電子機器を挿入時斜めに位置決めするため位置規制ガイド並びにリフタを備え、ドッキング完了後はクレードルの機器保持面に平行に固定しておくため機器をクレードルコネクタに押し付けるホルダを備えてなる請求項1に記載のクレードル対応の携帯用電子機器。
【発明の詳細な説明】
【技術分野】
【０００１】
本発明はクレードルを有する携帯用電子機器のドッキングコネクタの保護構造に関するものである。
【背景技術】
【０００２】
従来は、端末機器の開口部より手動でカバー部を開放しており、開放したカバー部はコネクタ接続の邪魔になるので開口部の真下を避け、それよりも後方の開放位置へと復帰させて接続しなければならなかった。またクレードルに設けた収納部を後方に突出したコネクタカバーの逃げ部として作用させなければならなかった。（例えば、特許文献１参照。）手動によるカバー部の開放においては、カバーを開放し忘れた場合に、端末機器
のカバー部とクレードル部のコネクタ部が接触し破損する恐れがあった。
【特許文献１】特開２００６−４９９４４号公報
【発明の開示】
【発明が解決しようとする課題】
【０００３】
ドッキング動作時に携帯用電子機器側の保護カバーを自動的に開かせ、逆に取り外し時には自動的に閉じさせる携帯用電子機器とクレードルのドッキングコネクタの破損を防止することを目的とする。
【課題を解決するための手段】
【０００４】
従来の課題を解決するために、本発明の携帯用電子機器のドッキングコネクタの保護構造は、携帯用電子機器と、該携帯用電子機器と他の電子機器（例えばデスクトップパソコン）または電源（例えばＡＣ電源）との電気的接続を行うクレードルからなるシステムにおいて、前記携帯用電子機器に内蔵されたドッキングコネクタの外方に回動式の保護カバーを有し、この保護カバーには常時閉方向に付勢する弾性体を付加し、一方、前記クレードルに内蔵されたドッキングコネクタの周縁部に挿抜方向外方に出っ張った保護ガイドを形成し、前記携帯用電子機器のドッキングコネクタを前記クレードルのドッキングコネクタに挿入する時に、前記保護ガイドの先端部が前記保護カバーに当接し、保護カバーを全開位置まで回転させた後、ドッキングコネクタの接続が完了し、抜脱時にはドッキングコネクタの抜脱後、前記弾性体の復元力によって前記保護カバーが全閉位置まで回転することを特徴としたものである。
【発明の効果】
【０００５】
本発明によれば、携帯用電子機器をクレードルに着脱する際、その挿抜動作で自動的に保護カバーが開閉する携帯用電子機器のドッキングコネクタの保護構造を提供することができる。
【発明を実施するための最良の形態】
【０００６】
以下に、本発明の携帯用電子機器１のドッキングコネクタの保護構造カバーの実施の形態を図面とともに詳細に説明する。
【０００７】
図１、図２は、本発明の実施の形態における携帯用電子機器側ドッキングコネクタ１０２の保護カバー１０１のそれぞれ全閉時並びに全開時の斜視図を示すものである。図１において、クレードル２にドッキングの際、保護カバー１０１は矢印方向に回転して開く。図２において、携帯用電子機器１に組み込んだ保護カバー１０１が開いてドッキングコネクタ１０２が現れる。この保護カバー１０１にてドッキングコネクタ１０２の外力に対する保護と防塵対策が可能となる。
【０００８】
図３は、クレードル側ドッキングコネクタ２０４の保護ガイドＡ２０１、保護ガイドＢ２０２、保護ガイドＣ２０３の斜視図を示すものである。図３において、クレードル側のドッキングコネクタ２０４は、クレードル２の筐体と一体化した保護ガイドＡ２０１、保護ガイドＢ２０２、保護ガイドＣ２０３を設けることで、３方向からの外力に対して保護と防塵対策が可能となる。
【０００９】
ドッキングコネクタは、低挿抜、高寿命、高速伝送、筐体への確実な固定、省スペース設計の観点から本実施例ではヒロセ電機のＥＸ６０Ｂを選定した。なお、本ドッキングコネクタは２０度以下の斜め挿抜にて高寿命化を狙ったものであり、図２のドッキングコネクタ１０２と図３のドッキングコネクタ２０４がそれに該当する。
【００１０】
図４は、携帯用電子機器側ドッキングコネクタ１０２の保護カバーユニットの保護カバー１０１が全開時の斜視図を示すものである。図５は、ドッキングコネクタ１０２の保護カバー１０１とカバーホルダ１０３の回動中心軸部Ａ−Ａ断面図を示すものである。図４において、保護カバー１０１は、カバーホルダ１０３に図５に示すようにそれぞれの凹部Ｅに軸部Ｆを嵌合させることで回動可能なユニットになる。さらにバネ１０４の弾性力によって保護カバー１０１が図４の矢印ａ方向に回転し常時閉になるように付勢させる。そして閉時には、保護カバー１０１のアーム部Ｂ（左右２箇所)をカバーホルダ１０３のストッパー部Ｃ（左右２箇所)に当接させる。この保護カバーユニットとドッキングコネクタ１０２を実装したコネクタ基板１０５を携帯用電子機器１０１の筐体内部にビス止めして固定する。
【００１１】
図６は、クレードルの上後方の斜視図を示すものである。その詳細は、以下、自動的に保護カバー１０１を開閉するドッキング方法を含めて説明する。
【００１２】
図７は、クレードル２への携帯用電子機器１のドッキング開始時の斜視図を示すものである。図８は、クレードル２への携帯用電子機器１のドッキング過程の断面図を示すものである。図９、図１０はそれぞれ携帯用電子機器１のドッキング開始時の図８に示すＧ−Ｇ断面図（ドッキングコネクタ１０２および２０４の中央並びに保護カバー１０１の中央断面）、図８に示すＨ−Ｈ断面図（リフタ２０６並びにホルダ２０７の中央断面）を示し、図１１は図９に示すＩ部の詳細図を示すものである。図９、図１０において、リフタ２０６は可動式でコイルバネ２０８にて常時上方向に付勢させているので、ドッキング開始時には、携帯用電子機器１は矢印方向ｂに挿入することで図１０のＪ、Ｋ、Ｌで示す箇所で当接してクレードル２の筐体、ガイド２０５とリフタ２０６にて図９に示すように２２.８度の角度で位置規制できる。この状態では、図１１に示すように、保護カバー１０１と保護ガイドＡは当接する直前で、当然ドッキングコネクタ１０２（図９）および２０４（図９）コネクタは接続前段階である。
【００１３】
図１２は、  ドッキング開始後、保護カバー１０１が少し開いたときの図８に示すＧ−Ｇ断面図（ドッキングコネクタ１０２および２０４の中央並びに保護カバー１０１の中央断面）を示し、図１３は、図１２に示すＩ部の詳細図を示すものである。図１２において、携帯用電子機器１を矢印ｃ方向に押し込んでいくと図１３に示すように、保護カバー１０１の斜面Ｄにクレードル２の保護ガイドＡ２０１が当接して、さらに押し込むことで保護カバー１０１は支点Ｍを中心に矢印ｄ方向に回転させる力が発生し、保護カバー１０１が保護ガイドＢ２０２、保護ガイドＣ２０３の斜面Ｎに沿って開き始める。このタイミングでもドッキングコネクタ１０２（図１２）および２０４（図１２）の接触はない。
【００１４】
図１４、図１５は、それぞれ携帯用電子機器１のドッキング中間時（ドッキングコネクタ１０２および２０４が接続し始めるとき）の図８に示すＧ−Ｇ断面図（ドッキングコネクタ１０２および２０４の中央並びに保護カバー１０１の中央断面）、図８に示すＨ−Ｈ断面図（リフタ２０６並びにホルダ２０７の中央断面）を示し、図１６は、図１４に示すＩ部の詳細図を示すものである。図１４、図１５において、携帯用電子機器１をさらに矢印ｅ方向に押し込んでいくと、ドッキング中間時位置（ドッキングコネクタ１０２および２０４が接続し始めるとき）では、ホルダ２０７は可動式でキックバネ２０９にて常時右方向に付勢させているので、Ｏ、Ｐ、Ｑに示す箇所で当接してホルダ２０７、ガイド２０５、リフタ２０６にて位置規制できる。このタイミングでは、図１６に示すように、保護カバー１０１は保護ガイドＢ２０２、保護ガイドＣ２０３の斜面Ｎに沿ってさらに矢印ｆ方向に回転してほぼ全開状態になる。同時に携帯用電子機器１は、図１４に示すように１１度の角度でドッキングコネクタ１０２および２０４の斜め接続が開始する。
【００１５】
図１７、図１８は、それぞれ携帯用電子機器１のドッキング終了時（ドッキングコネクタ１０２および２０４の接続終了）の図８に示すＧ−Ｇ断面図（ドッキングコネクタ１０２および２０４の中央並びに保護カバー１０１の中央断面）、図８に示すＨ−Ｈ断面図（リフタ２０６並びにホルダ２０７の中央断面）を示し、図１９は、図１７に示すＩ部の詳細図を示すものである。図１７、図１８において、ドッキング終了時位置では、図１９に示すように、保護カバー１０１は保護ガイドＢ２０２、保護ガイドＣ２０３の下面に沿ってさらに回転して全開状態になる。このタイミングでは、図１８のＲ、Ｓ、Ｔに示すようにホルダ２０７、ガイド２０５、リフタ２０６にて位置規制され、同時にドッキングコネクタ１０２および２０４の接続も完了する。このときホルダ２０７（図１８）は携帯用電子機器１のホルダ嵌合用凹部１０６（図１８）と嵌合し、携帯用電子機器１の固定をより堅固にする。
【００１６】
なお、左右方向の携帯用電子機器１のクレードル２に対する位置決めは、筐体の外形で行い傾きが３度以下になるように左右の隙間を設定する。
【産業上の利用可能性】
【００１７】
本発明に係るドッキングコネクタの保護構造は、携帯用電子機器をクレードルに着脱する際、その挿抜動作で自動的に保護カバーが開閉しドッキングコネクタを保護するという効果を有し、携帯用電子機器とクレードルを電気的に接続するドッキングコネクタの保護構造として有用である。
【図面の簡単な説明】
【００１８】
【図１】携帯用電子機器側ドッキングコネクタの保護カバーの全閉時の斜視図
【図２】携帯用電子機器側ドッキングコネクタの保護カバーの全開時の斜視図
【図３】クレードル側ドッキングコネクタの保護ガイドの斜視図
【図４】携帯用電子機器側ドッキングコネクタの保護カバーユニットの保護カバー全開時の斜視図
【図５】保護カバーとカバーホルダの回動中心軸部Ａ−Ａ断面図
【図６】クレードルの上後方の斜視図
【図７】クレードルへの携帯用電子機器のドッキング開始時の斜視図
【図８】クレードルへの携帯用電子機器のドッキング過程の断面図
【図９】ドッキング開始時のＧ−Ｇ断面図
【図１０】ドッキング開始時のＨ−Ｈ断面図
【図１１】図９のＩ部詳細図
【図１２】ドッキング開始後、カバーが少し開いたときのＧ−Ｇ断面図
【図１３】図１２のＩ部詳細図
【図１４】ドッキング中間時のＧ−Ｇ断面図
【図１５】ドッキング中間時のＨ−Ｈ断面図
【図１６】図１４のＩ部詳細図
【図１７】ドッキング終了時のＧ−Ｇ断面図
【図１８】ドッキング終了時のＨ−Ｈ断面図
【図１９】図１７のＩ部詳細図
【符号の説明】
【００１９】
１  携帯用電子機器
２  クレードル
１０１  保護カバー
１０２  ドッキングコネクタ
１０３  カバーホルダ
１０４  バネ
１０５  コネクタ基板
１０６  ホルダ嵌合用凹部
２０１  保護ガイドＡ
２０２  保護ガイドＢ
２０３  保護ガイドＣ
２０４  ドッキングコネクタ
２０５  ガイド
２０６  リフタ
２０７  ホルダ
２０８  コイルバネ
２０９  キックバネ
２１０  開放部
【図１】
2009289523.tif 000003
【図２】
2009289523.tif 000004
【図３】
2009289523.tif 000005
【図４】
2009289523.tif 000006
【図５】
2009289523.tif 000007
【図６】
2009289523.tif 000008
【図７】
2009289523.tif 000009
【図８】
2009289523.tif 000010
【図９】
2009289523.tif 000011
【図１０】
2009289523.tif 000012
【図１１】
2009289523.tif 000013
【図１２】
2009289523.tif 000014
【図１３】
2009289523.tif 000015
【図１４】
2009289523.tif 000016
【図１５】
2009289523.tif 000017
【図１６】
2009289523.tif 000018
【図１７】
2009289523.tif 000019
【図１８】
2009289523.tif 000020
【図１９】
2009289523.tif 000021